(57)【特許請求の範囲】
【請求項１】
パネル形状の緩衝部と、
前記緩衝部と一体に結合されると共に所定の幅を有する肩ひもの中間位置に連結された補強部とを備える肩ひも用緩衝具において、
前記緩衝部は、多数の凸部を備えて、この凸部は空気が充填されてシールされ、サーマルポリウレタン樹脂を圧縮成型することによって形成し、マトリックス状に配置されており、その外面を革でコーティングし、
前記補強部は、前記緩衝部と縫製で結合されており、前記補強部は、スパンデックスもしくはネオプレンまたはゴムバンドを含む弾力材料からなり、伸長性を有し、前記補強部の長さは前記緩衝部の長さより長くなっており、前記補強部も衝撃吸収できるようになっていることを特徴とする肩ひも用緩衝具。
【発明の詳細な説明】
【０００１】
（発明の属する技術分野）
本発明は、人が肩にカバンまたは荷物を背負って移動する際に、荷重によって押さえつけられる肩の痛みを緩和し、体感荷重を低減させるようになっている、カバンまたは荷物の肩ひもに対して一体に形成された、または脱着可能に設けられた肩ひも用緩衝具に関するものである。特に、本発明は空気が充填された多数の凸部と、伸長性を有する弾力材料からなる補強部が設けられ、これにより肩にかかる痛みを緩和するとともに、カバンまたは運搬される荷物の肩にかかる荷重を、前記凸部と補強部との間の作用／反作用によって前記凸部と補強部との中間位置において相殺（absorb）して前記荷重を低減し、重い荷物を運搬する際にユーザを楽にさせることが可能な肩ひも用緩衝具に関するものである。
【０００２】
（従来の技術）
一般的に、従来の肩ひもは、力布又はカバン生地と同一な材料から作られている。また、従来の肩ひもは、力布又はカバン生地と同じ材料の内側に従来の肩パッド又はポリ塩化ビニル（ＰＶＣ）からなる発泡体（foam）を入れ、周知の方法で縫製して取り付けることによって製造されていた。
【０００３】
しかしながら、このような肩ひもは伸びない上、荷重による衝撃を吸収する手段もないため、肩の上に載せて重い荷物を長く背負っているときに付与される荷重が、人の肩に直接的に伝わる。これによって、使用者は、苦痛を感じたり極度に疲労することになる。
【０００４】
結論的に、伸びや荷重による衝撃の吸収手段がない従来の肩ひもは、使用者が重さによる肩の痛みと極度の疲労感を我慢しなければならないという欠点があった。
【０００５】
（発明の概要）
前記のような課題を解決するために、本発明は、空気層からなる緩衝部を形成し、これにより人の肩にかかる衝撃を吸収する、空気が充填された多数の凸部と、伸長性を有する弾力材料からなり、これによりカバンまたは荷物を運搬するとき作用／反作用によって人の体にかかる荷重を低減する補強部を提供する。そして、本発明の目的は、ユーザが重いカバンまたは荷物を背負って運搬する際に、実際にかかる荷重ストレスを顕著に低減し、肩の痛みおよびそれを原因とする疲労感を緩和することによってユーザを快適にすることが可能な肩ひも用緩衝具を提供することである。
【０００６】
本発明の前記目的を達成するために、本発明は、空気が充填されるとともにシールされた多数の凸部を有するパネル形状の緩衝部と、前記緩衝部と一体に縫製されると共に所定の幅を有する肩ひもの中間位置に連結された補強部とを備える肩ひも用緩衝具を提供するものである。
【０００７】
本発明の他の特徴によると、空気が充填されるとともにシールされた多数の凸部を有するパネル形状の緩衝部と、前記緩衝部と一体に縫製されると共に肩ひもの所定位置を脱着可能に取り囲むことが可能な連結部とを備える肩ひも用緩衝具を提供するものである。
【０００８】
この場合、伸長性を有する弾力材料からなる前記補強部を、所定幅を有する前記肩ひもの任意の位置に取り外し可能に接続しても良い。
【０００９】
本発明に係る肩ひも用緩衝具の特徴は、運搬される物自体と、例えば、ユーザの一方の肩によって支持されるカバンまたはリュックサックのような荷物を収容するためのカバンの両方に適用することができ、全ての収容物を肩に背負って容易かつ快適に運搬できることである。
【００１０】
さらに、本発明に係る肩ひも用緩衝具によると、前記緩衝部の外面を革でコーティングしたり、またはコーティングすることなくその内部に印刷部を設けてもよい。
【００１１】
さらに付け加えると、本発明によると、滑り難くしたり、血液循環を促進するために、前記緩衝部に形成された多数の凸部にゴムのドット又はバイオーセラミックのドットを形成することにより、高品質の製品が実現できる。
【００１２】
（好ましい実施形態の説明）
以下、本発明の好ましい実施形態を添付図面にしたがって詳細に説明する。
【００１３】
図１と図２において、それぞれ本発明に係る肩ひも用緩衝具を有するカバンを概略的に図示するように、本実施形態において、緩衝具１０は、例えば、ユーザの一方の肩に背負うカバンやリュックサックの肩ひも９に適用できる。一方、運搬される物自体に肩ひもが付着できれば、前記肩ひも９をこのような荷物にも適用できる。よって、ユーザの肩に背負って運搬される全ての荷物を容易かつ快適に運搬できるようになる。
【００１４】
図３乃至図６を参照にし、本発明に係る肩ひも用緩衝具１０をより詳しく説明する。図３は、本発明に係る肩ひも用緩衝具の平面図であり、図４は、図３に示す肩ひも用緩衝具の背面図であり、図５は、図３に示す肩ひも用緩衝具の側面図である。これらの図面において示すように、緩衝具１０は、空気が充填されシールされた多数の凸部３を備えるパネル形状の緩衝部１と、伸長性を有する弾力材料から形成され、前記緩衝部１と一体に縫製されると共に、一定の幅を有する肩ひも９の中間位置に連結された補強部２とを含む。
【００１５】
前記緩衝部１は、図３に示すように、マトリックス状に配置された多数の凸部３を備える。このような凸部３の形状及び配置形態は、これに限定されない。前記凸部３は、非常に弾性的であり、かつ透明なサーマルポリウレタン（ＴＰＵ）樹脂を圧縮成型することによって形成される。また、この凸部３の内部は、空気で充填されエアークッションとして役立つので、前記緩衝部１は、荷物の荷重によってユーザの肩の方向に付与される衝撃を吸収する効果を最大化することができる。
【００１６】
好ましくは、前記緩衝部１は、美観を向上するために外面を革でコーティングしてもよい。代案として、コーティングすることなく、緩衝部１の内部に印刷部（不図示）を設け、次に圧縮成型することにより、関連商標または広告文案を表示するようにしてもよい。
【００１７】
図６は、図５に示す“Ａ”部分の拡大断面図である。図６に示すように、スパンデックスやネオプレン４およびゴムバンド５を含む伸長性を有する弾力材料からなる補強部２は、本発明に係る緩衝具１０の下部に設けられている。図３及び図４に示すように、補強部２は、前記緩衝部１と一体に両端に沿って縦方向に縫製され、肩ひも９の中間位置に連結されている。これにより、カバンまたは荷物の荷重は、ユーザの肩の上にカバンまたは荷物を載せて移動する間、前記補強部２の弾性によって低減される。
【００１８】
本発明に係る緩衝具１０を有する肩ひも９をカバンに連結する際、図１または図２に示すように、前記緩衝部１が人体の肩に接触する向きに肩ひも９をカバンに連結する。これにより、空気が充填された多数の凸部３は、ＴＰＵ樹脂に対するエアークッションとして機能し、そして、肩に付与される荷重を吸収する。また、カバンまたは荷物を運搬する間、生じる衝撃は、弾性材料からなる補強部２の弾性（resilience）または作用／反作用によって吸収され、荷重を軽減するとともに肩の痛みを緩和する。その結果、ユーザは、カバンまたは荷物を肩に載せて運搬する間、疲労感を感じず、快適である。さらに、前記多数の凸部３によって指圧効果が得られ、ユーザの血液循環が促進される。
【００１９】
図７は、本発明の他の実施形態に係る肩ひも用緩衝具の平面図であり、図８は、図７に示す肩ひも用緩衝具の背面図である。図７および図８を参照すると、本実施形態に係る緩衝具２０は、空気が充填されシールされた多数の凸部１３を備えるパネル形状の緩衝部１１と、例えば、登録商標ベルクロなどの付着性を有する（adhesive）生地から形成されており、前記緩衝部１１と一体に縫製され、前記肩ひも９の所定部分を取り外し可能に囲むことが可能な連結部１２を備える。
【００２０】
前記緩衝部１１は、前記実施形態における機能および効果の観点において、前述した緩衝部１と同様であり、詳しくは説明しない。本実施形態において、伸長可能な補強部は設けなくても良い。しかしながら、好ましい実施形態において、所定の幅を有する肩ひもの任意の位置に取り外し可能に連結するようにしてもよい。
【００２１】
従って、前記緩衝具２０は、カバンまたは荷物に連結された従来の肩ひもに取り付けることができる。前記緩衝部１１が人の肩に接触する方向に向けて位置決めされた後、肩ひも（不図示）が前記連結部１２と緩衝部１１により取り囲まれる。次に、前記連結部１２のベルクロからなる付着性を有する生地が、前記肩ひもの任意の位置に取り付けるために互いに付着される。
【００２２】
こうすることにより、空気が充填された多数の凸部３は、非常に弾性的であるＴＰＵ樹脂に対するエアークッションとして機能し、肩に付与される荷重を吸収する。その結果、カバンまたは荷物それ自体の荷重を軽減し、肩の痛みを緩和する。
【図面の簡単な説明】
【図１】  図１は、本発明に係る肩ひも用緩衝具を備えたカバンを概略的に示した斜視図である。
【図２】  図２は、本発明に係る肩ひも用緩衝具を備えたカバンを概略的に示した斜視図である。
【図３】  図３は、本発明の実施形態に係る肩ひも用緩衝具の平面図である。
【図４】  図４は、図３の肩ひも用緩衝具の背面図である。
【図５】  図５は、図３の肩ひも用緩衝具の側面図である。
【図６】  図６は、図５の“Ａ”部分の拡大断面図である。
【図７】  図７は、本発明の他の実施形態に係る肩ひも用緩衝具の平面図である。
【図８】  図８は、図７の肩ひも用緩衝具の背面図である。
【図１】
0003811066.tif 000002
【図２】
0003811066.tif 000003
【図３】
0003811066.tif 000004
【図４】
0003811066.tif 000005
【図５】
0003811066.tif 000006
【図６】
0003811066.tif 000007
【図７】
0003811066.tif 000008
【図８】
0003811066.tif 000009